(57)【要約】【課題】所望のインクボトルを選択できるように構成されたインクボトル及びそのパッケージを提供すること。【解決手段】ヘッドと、複数のインクタンクと、筐体と、複数のインクタンクを筐体外から視認させるための視認部と、を備えるプリンターに使用されるインクボトル５１であって、インクボトルは、収容するインクの種類を識別させるための識別部６１を備え、識別部は、インクタンクの数に対応する複数の突起６２を有し、複数の突起は、視認部を通じて視認されるインクタンクの配置を模すように配置され、突出量が最も大きい大突起６３と、大突起の突出量よりも突出量が小さい小突起６４と、により構成され、大突起は、識別部において、収容するインクと同種のインクを収容するインクタンクの位置と対応する位置に設けられ、小突起は、識別部において、収容するインクと異種のインクを収容するインクタンクの位置と対応する位置に設けられる。【選択図】図６
2020163824.tif 000002
【特許請求の範囲】
【請求項１】
インクを吐出するヘッドと、前記ヘッドに供給されるインクを収容する複数のインクタンクと、前記ヘッド及び複数の前記インクタンクを収容する筐体と、複数の前記インクタンクを前記筐体外から視認させるための視認部と、を備えるプリンターに使用されるインクボトルであって、
収容するインクの種類を識別させるための識別部を備え、
前記識別部は、前記インクタンクの数に対応する複数の突起を有し、
複数の前記突起は、前記視認部を通じて視認される前記インクタンクの配置を模すように配置され、突出量が最も大きい大突起と、前記大突起の突出量よりも突出量が小さい小突起と、により構成され、
前記大突起は、前記識別部において、収容するインクと同種のインクを収容する前記インクタンクの位置と対応する位置に設けられ、
前記小突起は、前記識別部において、収容するインクと異種のインクを収容する前記インクタンクの位置と対応する位置に設けられることを特徴とするインクボトル。
【請求項２】
前記大突起には、収容するインクの色を想起させる香料が含まれていることを特徴とする請求項１に記載のインクボトル。
【請求項３】
前記大突起には、前記香料を含む香料インクが含まれていることを特徴とする請求項２に記載のインクボトル。
【請求項４】
前記大突起の表面に、シボ加工が施されていることを特徴とする請求項１から請求項３の何れか一項に記載のインクボトル。
【請求項５】
インクを吐出するヘッドと、前記ヘッドに供給されるインクを収容する複数のインクタンクと、前記ヘッド及び複数の前記インクタンクを収容する筐体と、複数の前記インクタンクを前記筐体外から視認させるための視認部と、を備えるプリンターに使用されるインクボトルを収容するパッケージであって、
前記インクボトルが収容するインクの種類を識別させるための識別部を備え、
前記識別部は、前記インクタンクの数に対応する複数の突起を有し、
複数の前記突起は、前記視認部を通じて視認される前記インクタンクの配置を模すように配置され、突出量が最も大きい大突起と、前記大突起の突出量よりも突出量が小さい小突起と、により構成され、
前記大突起は、前記識別部において、前記インクボトルが収容するインクと同種のインクを収容する前記インクタンクの位置と対応する位置に設けられ、
前記小突起は、前記識別部において、前記インクボトルが収容するインクと異種のインクを収容する前記インクタンクの位置と対応する位置に設けられることを特徴とするパッケージ。
【発明の詳細な説明】
【技術分野】
【０００１】
本発明は、インクボトル及びパッケージに関する。
【背景技術】
【０００２】
特許文献１には、複数のインクタンクを備えるプリンターに対して使用されるインクボトルが記載されている。インクボトルは、インクタンクにインクを注入するために使用される。インクタンクにインクを注入する場合、そのインクタンクが収容するインクと同種のインクを収容するインクボトルを選択する必要がある。すなわち、インクタンクと対応するインクボトルを選択する必要がある。
【０００３】
通常、インクボトルにおいては、その表面に製品情報が記載されていたり、半透明又は透明の樹脂で構成されていたりする。そのため、ユーザーは、例えば、その製品情報を確認したり、収容されるインクの色をインクボトル越しに確認したりすることによって、所望のインクボトルを選択する。
【先行技術文献】
【特許文献】
【０００４】
【特許文献１】特開２０１８−１４４２３９号公報
【発明の概要】
【発明が解決しようとする課題】
【０００５】
弱視のユーザー及び色弱のユーザーにとっては、インクボトルの製品情報を確認したり、収容されるインクの色をインクボトル越しに確認したりすることが難しい場合がある。そのため、こうしたインクボトルの場合、弱視のユーザー及び色弱のユーザーにとっては、所望のインクボトルを選択することが難しいおそれがある。
【課題を解決するための手段】
【０００６】
上記課題を解決するインクボトルは、インクを吐出するヘッドと、前記ヘッドに供給されるインクを収容する複数のインクタンクと、前記ヘッド及び複数の前記インクタンクを収容する筐体と、複数の前記インクタンクを前記筐体外から視認させるための視認部と、を備えるプリンターに使用されるインクボトルであって、収容するインクの種類を識別させるための識別部を備え、前記識別部は、前記インクタンクの数に対応する複数の突起を有し、複数の前記突起は、前記視認部を通じて視認される前記インクタンクの配置を模すように配置され、突出量が最も大きい大突起と、前記大突起の突出量よりも突出量が小さい小突起と、により構成され、前記大突起は、前記識別部において、収容するインクと同種のインクを収容する前記インクタンクの位置と対応する位置に設けられ、前記小突起は、前記識別部において、収容するインクと異種のインクを収容する前記インクタンクの位置と対応する位置に設けられる。
【０００７】
上記課題を解決するパッケージは、インクを吐出するヘッドと、前記ヘッドに供給されるインクを収容する複数のインクタンクと、前記ヘッド及び複数の前記インクタンクを収容する筐体と、複数の前記インクタンクを前記筐体外から視認させるための視認部と、を備えるプリンターに使用されるインクボトルを収容するパッケージであって、前記インクボトルが収容するインクの種類を識別させるための識別部を備え、前記識別部は、前記インクタンクの数に対応する複数の突起を有し、複数の前記突起は、前記視認部を通じて視認される前記インクタンクの配置を模すように配置され、突出量が最も大きい大突起と、前記大突起の突出量よりも突出量が小さい小突起と、により構成され、前記大突起は、前記識別部において、前記インクボトルが収容するインクと同種のインクを収容する前記インクタンクの位置と対応する位置に設けられ、前記小突起は、前記識別部において、前記インクボトルが収容するインクと異種のインクを収容する前記インクタンクの位置と対応する位置に設けられる。
【図面の簡単な説明】
【０００８】
【図１】プリンターの一実施形態を示す正面図。
【図２】インクボトルの一実施形態を示す斜視図。
【図３】キャップが取り外されたインクボトルの斜視図。
【図４】キャップの斜視図。
【図５】インクボトルの上面図。
【図６】識別部を正面から見たときのインクボトルの側面図。
【図７】インクボトルの第１変更例を示す斜視図。
【図８】第１変更例におけるインクボトルの上面図。
【図９】第１変更例におけるインクボトルの側面図。
【図１０】インクボトルの第２変更例を示す斜視図。
【図１１】第２変更例におけるインクボトルの上面図。
【図１２】第２変更例におけるインクボトルの側面図。
【図１３】インクボトルの第３変更例を示す斜視図。
【図１４】第３変更例におけるインクボトルの上面図。
【図１５】第３変更例におけるインクボトルの側面図。
【図１６】インクボトルの第４変更例を示す斜視図。
【図１７】第４変更例におけるインクボトルの上面図。
【図１８】第４変更例におけるインクボトルの側面図。
【図１９】インクボトルの第５変更例を示す斜視図。
【図２０】第５変更例におけるインクボトルの上面図。
【図２１】第５変更例におけるインクボトルの側面図。
【図２２】インクボトルの第６変更例を示す斜視図。
【図２３】第６変更例におけるインクボトルの上面図。
【図２４】第６変更例におけるインクボトルの側面図。
【図２５】インクボトルの第７変更例を示す斜視図。
【図２６】第７変更例におけるインクボトルの上面図。
【図２７】第７変更例におけるインクボトルの側面図。
【図２８】プリンターの変更例を示す正面図。
【図２９】インクボトルを収容するパッケージの一実施形態を示す斜視図。
【図３０】インクボトルの第８変更例に第１のラベルを装着した状態を示す正面図。
【図３１】インクボトルの第８変更例に第２のラベルを装着した状態を示す正面図。
【図３２】インクボトルの第９変更例に第３のラベルを装着した状態を示す正面図。
【図３３】インクボトルの第９変更例に第４のラベルを装着した状態を示す正面図。
【図３４】第１の下ラベルの展開図。
【図３５】第２の下ラベルの展開図。
【図３６】第３の下ラベルの展開図。
【図３７】第４の下ラベルの展開図。
【図３８】第８変更例におけるインクボトルの正面図。
【図３９】第８変更例におけるインクボトルの背面図。
【図４０】第８変更例におけるインクボトルの左側面図。
【図４１】第８変更例におけるインクボトルの右側面図。
【図４２】第８変更例におけるインクボトルの平面図。
【図４３】第８変更例におけるインクボトルの底面図。
【図４４】第８変更例におけるインクボトルの斜視図。
【図４５】キャップが取り外された状態の第８変更例におけるインクボトルの斜視図。
【図４６】第８変更例におけるインクボトルに第２のラベルを装着した状態を示す背面図。
【図４７】第８変更例におけるインクボトルに第２のラベルを装着した状態を示す左側面図。
【図４８】第８変更例におけるインクボトルに第２のラベルを装着した状態を示す右側面図。
【図４９】第１の下ラベルの第１変更例を示す展開図。
【図５０】第１の下ラベルの第２変更例を示す展開図。
【図５１】第１の下ラベルの第３変更例を示す展開図。
【図５２】第１の下ラベルの第４変更例を示す展開図。
【図５３】第１の下ラベルの第５変更例を示す展開図。
【図５４】第１の下ラベルの第６変更例を示す展開図。
【図５５】第１の下ラベルの第７変更例を示す展開図。
【図５６】第１の下ラベルの第８変更例を示す展開図。
【図５７】第１の下ラベルの第９変更例を示す展開図。
【図５８】第１の下ラベルの第１０変更例を示す展開図。
【図５９】第１の下ラベルの第１１変更例を示す展開図。
【図６０】第１の下ラベルの第１２変更例を示す展開図。
【図６１】第５のラベルを示す展開図。
【図６２】インクボトルを収容するパッケージの変更例を示す正面図。
【図６３】変更例におけるインクボトルを収容するパッケージの平面図。
【発明を実施するための形態】
【０００９】
以下、インクボトルの一実施形態、インクボトルが収容されるパッケージの一実施形態及びインクボトルが使用されるプリンターの一実施形態について図を参照しながら説明する。プリンターは、例えば、用紙にインクを吐出することによって、文字、写真等の画像を印刷する。
【００１０】
図１に示すように、プリンター１１は、筐体１２を備える。筐体１２は、開閉する第１蓋１３及び第２蓋１４を有する。図１において、第１蓋１３及び第２蓋１４は、閉じている。第１蓋１３が開くことにより、筐体１２内が露出する。第２蓋１４が開くことにより、筐体１２内が露出する。本実施形態の第１蓋１３及び第２蓋１４は、筐体１２の上部に位置する。
【００１１】
プリンター１１は、操作部１５を備える。操作部１５は、筐体１２の前面に位置する。操作部１５は、表示画面１６と、操作ボタン１７とを有する。表示画面１６は、プリンター１１に関する情報を表示する。ユーザーは、操作部１５を通じてプリンター１１を操作する。
【００１２】
プリンター１１は、インクを吐出するヘッド１８を備える。ヘッド１８は筐体１２に収容される。ヘッド１８が用紙９９にインクを吐出することによって、用紙９９に画像が印刷される。印刷された用紙９９は、筐体１２の前面に開口する排出口１９を通じて筐体１２外に排出される。筐体１２の前面において、排出口１９は、操作部１５よりも下方に位置する。
【００１３】
本実施形態のプリンター１１は、ヘッド１８を搭載するキャリッジ２１を備える。キャリッジ２１は、用紙９９に対して走査する。すなわち、本実施形態のプリンター１１は、シリアルプリンターである。プリンター１１は、ヘッド１８が長尺に設けられるラインプリンターでもよい。
【００１４】
第１蓋１３を開くと、ヘッド１８及びキャリッジ２１が露出する。そのため、第１蓋１３を開くことによって、ヘッド１８及びキャリッジ２１をメンテナンスできる。また、第１蓋１３を開くことによって、筐体１２内で生じた用紙９９の詰まりを解消することができる。
【００１５】
プリンター１１は、印刷前の用紙９９を収容するカセット２２を備える。本実施形態のカセット２２は、操作部１５よりも下方に位置する。ヘッド１８は、カセット２２から供給される用紙９９にインクを吐出する。プリンター１１は、筐体１２において正面とは反対の面である背面から用紙９９を供給可能とされてもよい。用紙９９は、例えばローラー、ベルトなどによって、筐体１２内を搬送される。
【００１６】
プリンター１１は、ヘッド１８に供給されるインクを収容するインクタンク２４を備える。インクタンク２４は、筐体１２に収容される。本実施形態のインクタンク２４は、プリンター１１を正面から見たときに、カセット２２よりも右方に位置する。
【００１７】
インクタンク２４は、インクが補充されるための補充口２５を有する。第２蓋１４を開くと、補充口２５が露出する。すなわち、第２蓋１４を開くことによって、補充口２５を通じてインクタンク２４にインクを補充可能となる。
【００１８】
インクタンク２４は、複数設けられる。本実施形態において、インクタンク２４は、４つ設けられる。複数のインクタンク２４は、プリンター１１を正面から見たときに、横に並ぶように配置されている。プリンター１１を正面から見たときに左から右に向けて順に、第１インクタンク３１、第２インクタンク３２、第３インクタンク３３、第４インクタンク３４が位置する。すなわち、本実施形態のプリンター１１において、４つのインクタンク２４のうち、カセット２２に最も近い位置に設けられるインクタンク２４が第１インクタンク３１であり、カセット２２から最も遠い位置に設けられるインクタンク２４が第４インクタンク３４である。
【００１９】
第１インクタンク３１、第２インクタンク３２、第３インクタンク３３及び第４インクタンク３４は、それぞれ異なる種類のインクを収容する。例えば、第１インクタンク３１は、ブラックのインクを収容する。第２インクタンク３２は、シアンのインクを収容する。第３インクタンク３３は、マゼンタのインクを収容する。第４インクタンク３４は、イエローのインクを収容する。
【００２０】
本実施形態において、第１インクタンク３１の幅は、第２インクタンク３２、第３インクタンク３３及び第４インクタンク３４の幅と比較して少し大きい。そのため、第１インクタンク３１の容積が、第２インクタンク３２、第３インクタンク３３及び第４インクタンク３４の容積と比較して少し大きい。ブラックのインクについては使用頻度が高いため、第１インクタンク３１は、大容量のインクタンク２４とされている。
【００２１】
プリンター１１は、複数のインクタンク２４を筐体１２外から視認させるための視認部２６を備える。視認部２６は、筐体１２内に位置するインクタンク２４の一部分を露出させる。インクタンク２４は、透明、又は半透明の樹脂材料で形成される。そのため、ユーザーは、視認部２６を通じてインクタンク２４の一部分を視認することによって、インクタンク２４が収容するインクの残量を視認できる。
【００２２】
本実施形態の視認部２６は、筐体１２の前面に位置する。視認部２６は、例えば窓として構成されてもよい。この場合、視認部２６は、筐体１２の前面に形成される開口と、開口に嵌め込まれる透明な透明部材とを有する。透明部材は、例えばガラス、プラスチックなどである。視認部２６は、単なる開口として構成されてもよい。
【００２３】
本実施形態の視認部２６は、インクタンク２４の数に対応して複数設けられる。すなわち、本実施形態の視認部２６は、４つ設けられる。複数の視認部２６は、プリンター１１を正面から見たときに、横に並ぶように配置されている。プリンター１１を正面から見たときに左から右に向けて順に、第１視認部４１、第２視認部４２、第３視認部４３、第４視認部４４が位置する。すなわち、４つの視認部２６のうち、カセット２２に最も近い位置に設けられる視認部２６が第１視認部４１であり、カセット２２から最も遠い位置に設けられるインクタンク２４が第４視認部４４である。
【００２４】
第１視認部４１は、第１インクタンク３１を露出させる。第２視認部４２は、第２インクタンク３２を露出させる。第３視認部４３は、第３インクタンク３３を露出させる。第４視認部４４は、第４インクタンク３４を露出させる。本実施形態の第１視認部４１、第２視認部４２、第３視認部４３及び第４視認部４４は、プリンター１１を正面から見たときに、上下に延びる長方形状となるように設けられている。そのため、視認部２６を通じて視認されるインクタンク２４の形状は、上下に延びる長方形状となる。視認部２６は、第１インクタンク３１、第２インクタンク３２、第３インクタンク３３及び第４インクタンク３４をまとめて露出させる大きな開口を有していてもよい。
【００２５】
インクタンク２４において、視認部２６によって露出されるその一部分に、収容するインクの残量を示す指標となる目盛２７が表示されてもよい。目盛２７が表示されることによって、インクの残量をより正確に視認させることができる。
【００２６】
次に、複数のインクタンク２４を備えるプリンター１１に使用されるインクボトルについて説明する。
図２に示すように、インクボトル５１は、例えば、インクを収容する容器本体５２と、容器本体５２に着脱可能なキャップ５３とを備える。図２において、キャップ５３は、容器本体５２に取り付けられている。
【００２７】
図３に示すように、容器本体５２は、インクを注入するための注入部５４を有する。注入部５４は、容器本体５２からインクが流れ出るための注入口５５を有する。注入部５４がインクタンク２４の補充口２５に差し込まれると、容器本体５２に収容されるインクをインクタンク２４に注入可能となる。
【００２８】
注入部５４は、キャップ５３が取り外されることによって露出する。キャップ５３が容器本体５２に取り付けられると、注入部５４はキャップ５３に覆われる。注入部５４には、キャップ５３が取り付けられるための雄ねじ５６が形成される。
【００２９】
本実施形態のインクボトル５１においては、注入口５５が上方を向いた姿勢が、安定した姿勢となる。すなわち、容器本体５２に取り付けられたキャップ５３が容器本体５２の上部に位置する姿勢において、インクボトル５１が安定する。そのため、通常、インクボトル５１は、この安定した姿勢で保管されたり陳列されたりする。インクタンク２４にインクを注入するときには、インクボトル５１は、注入口５５が下方を向く姿勢となる。以降の説明では、インクボトル５１が安定した姿勢にあることを前提として記載する。なお、インクボトル５１の形態によっては、注入口５５が上方を向いていない姿勢であっても、安定した姿勢となる場合がある。
【００３０】
図４に示すように、キャップ５３の内周には、雌ねじ５７が形成される。雄ねじ５６と雌ねじ５７とが嵌まり合うことによって、キャップ５３が容器本体５２に取り付けられる。
【００３１】
図５及び図６に示すように、インクボトル５１は、収容するインクの種類を識別させるための識別部６１を備える。本実施形態において、識別部６１は、容器本体５２の側面に位置する。
【００３２】
識別部６１は、インクタンク２４の数に対応する複数の突起６２を有する。本実施形態において、突起６２は４つ設けられる。本実施形態の突起６２は、容器本体５２の側面から突出するように設けられる。
【００３３】
図６に示すように、複数の突起６２は、視認部２６を通じて視認されるインクタンク２４の配置を模すように配置される。本実施形態においては、識別部６１を正面から見たときの突起６２の配置が、プリンター１１を正面から見たときのインクタンク２４の配置を模している。そのため、識別部６１を正面から見たときに、突起６２は、横に並ぶように配置される。
【００３４】
複数の突起６２は、突出量が最も大きい大突起６３と、大突起６３の突出量よりも突出量が小さい小突起６４とにより構成される。本実施形態において、大突起６３は、小突起６４と比較して、容器本体５２の周面からの突出量が大きくなるように構成される。突起６２の突出量とは、突起６２の基端から先端までの長さである。本実施形態においては、容器本体５２の周面から突起６２の先端までの距離が突起６２の突出量となる。
【００３５】
大突起６３は、識別部６１において、インクボトル５１が収容するインクと同種のインクを収容するインクタンク２４の位置と対応する位置に設けられる。小突起６４は、識別部６１において、インクボトル５１が収容するインクと異種のインクを収容するインクタンク２４と対応する位置に設けられる。すなわち、識別部６１を正面から見たときに複数の突起６２における大突起６３の位置は、プリンター１１を正面から見たときに視認部２６を通じて視認される複数のインクタンク２４において、インクボトル５１が収容するインクと同種のインクを収容するインクタンク２４の位置に対応している。
【００３６】
本実施形態においては、識別部６１を正面に見たときに、最も左方に位置する１つの突起６２が大突起６３であり、その他３つの突起６２は小突起６４である。すなわち、本実施形態の大突起６３は、プリンター１１を正面から見たときに視認部２６を通じて視認される複数のインクタンク２４のうち最も左方に位置する第１インクタンク３１と対応する。そのため、本実施形態のインクボトル５１が収容するインクは、第１インクタンク３１が収容するインクと同種であることが把握される。このように、識別部６１における大突起６３の位置は、インクボトル５１が収容するインクの種別を示す。
【００３７】
本実施形態の識別部６１において、識別部６１を正面から見たときに左から右に向けて順に、第１突起７１、第２突起７２、第３突起７３、第４突起７４が位置する。第１突起７１、第２突起７２、第３突起７３及び第４突起７４の位置と、第１インクタンク３１、第２インクタンク３２、第３インクタンク３３及び第４インクタンク３４の位置とは、対応関係にある。すなわち、第１突起７１は、第１インクタンク３１に対応する突起６２である。第２突起７２は、第２インクタンク３２に対応する突起６２である。第３突起７３は、第３インクタンク３３に対応する突起６２である。第４突起７４は、第４インクタンク３４に対応する突起６２である。
【００３８】
本実施形態において、突起６２は、視認部２６を通じて視認されるインクタンク２４の形状を模した形状とされる。プリンター１１を正面から見たときの視認部２６の形状は、上下に延びる長方形状である。そのため、プリンター１１を正面から見たときに、視認部２６を通じて視認されるインクタンク２４の形状も上下に延びる長方形状となる。すなわち、本実施形態において、識別部６１を正面から見たときの突起６２の形状は、上下に延びる長方形状とされる。
【００３９】
第１視認部４１の幅が第２視認部４２、第３視認部４３及び第４視認部４４の幅よりも少し大きいことに基づき、第１突起７１の幅は、第２突起７２、第３突起７３及び第４突起７４の幅と比べて少し大きい。視認部２６を通じて視認されるインクタンク２４の形状を、突起６２が模すことによって、突起６２とインクタンク２４との対応関係をユーザーに認識させやすくできる。
【００４０】
本実施形態のインクボトル５１においては、第１突起７１が大突起６３であり、第２突起７２、第３突起７３及び第４突起７４が小突起６４である。本実施形態のように、第１突起７１が大突起６３である場合、そのインクボトル５１は第１インクタンク３１と対応する。例えば第２突起７２が大突起６３である場合、そのインクボトル５１は第２インクタンク３２と対応する。第３突起７３が大突起６３である場合、そのインクボトル５１は第３インクタンク３３と対応する。第４突起７４が大突起６３である場合、そのインクボトル５１は第４インクタンク３４と対応する。
【００４１】
ユーザーは、識別部６１に触れることによって、識別部６１における大突起６３と小突起６４との配列を把握できる。ユーザーは、第１突起７１、第２突起７２、第３突起７３及び第４突起７４のうち何れの突起６２が大突起６３であるかを把握することによって、インクボトル５１とインクタンク２４と対応関係を把握できる。これにより、ユーザーは、インクボトル５１が収容するインクの種別を識別できる。
【００４２】
大突起６３には、インクボトル５１が収容するインクの色を想起させる香料が含まれていてもよい。こうすると、ユーザーは、大突起６３に含まれる香料の香りを嗅ぐことによって、そのインクボトル５１に収容されるインクの色を特定できる。例えば、ブラックのインクを収容するインクボトル５１の場合、海苔の香りがする香料が大突起６３に含まれる。シアンのインクを収容するインクボトル５１の場合、ミントの香りがする香料が大突起６３に含まれる。イエローのインクを収容するインクボトル５１の場合、バナナの香りがする香料が大突起６３に含まれる。マゼンタのインクを収容するインクボトル５１の場合、バラ、イチゴなどの香りがする香料が大突起６３に含まれる。
【００４３】
大突起６３には、その香料を含む香料インクが含まれていてもよい。香料インクは、香料オイルが封入されたマイクロカプセルを水性インクに混ぜたインクである。こうすると、例えばユーザーが大突起６３を指で擦った場合に、マイクロカプセルが破壊されることによって大突起６３から香りが出る。これにより、大突起６３から常に香りが出る場合と比べて、香料による香りが他の香りと紛れるおそれを低減できる。
【００４４】
大突起６３の表面に、シボ加工が施されていてもよい。こうすると、大突起６３の位置をより把握しやすくできる。
次に、上記実施形態の作用及び効果について説明する。
【００４５】
（１）大突起６３は、識別部６１において、インクボトル５１が収容するインクと同種のインクを収容するインクタンク２４の位置と対応する位置に設けられる。小突起６４は、識別部６１において、インクボトル５１が収容するインクと異種のインクを収容するインクタンク２４の位置と対応する位置に設けられる。こうすると、ユーザーは、識別部６１に触れることによって、大突起６３及び小突起６４の並びを把握できる。識別部６１における大突起６３の位置を把握することによって、インクボトル５１が収容するインクと同種のインクを収容するインクタンク２４を把握できる。すなわち、このインクボトル５１が何れのインクタンク２４と対応しているかを把握できる。これにより、所望のインクボトル５１を選択できる。
【００４６】
（２）大突起６３には、インクボトル５１が収容するインクの色を想起させる香料が含まれている。こうすると、ユーザーは、大突起６３に含まれる香料の香りを嗅ぐことによって、インクボトル５１に収容されるインクの色を想起できる。これにより、インクの色を識別できる。そのため、触覚及び嗅覚によって、所望のインクボトル５１を選択できる。
【００４７】
（３）大突起６３には、香料を含む香料インクが含まれている。こうすると、ユーザーが大突起６３を指で擦った場合に、インクボトル５１が収容するインクの色を想起させる香りが大突起６３から出る。そのため、大突起６３から常に香りが出る場合と比べて、香料による香りが他の香りと紛れるおそれを低減できる。
【００４８】
（４）大突起６３の表面に、シボ加工が施されている。こうすると、大突起６３の位置をより把握しやすくできる。
本実施形態は、以下のように変更して実施することができる。本実施形態及び以下の変更例は、技術的に矛盾しない範囲で互いに組み合わせて実施することができる。例えば、インクボトル５１は、上記実施形態、及び以下に示す変更例から任意の容器本体５２、キャップ５３、識別部６１の形態を採用できる。
【００４９】
・インクボトル５１の第１変更例として、図７、図８及び図９に示すように、インクボトル５１の形態を変更してもよい。
・インクボトル５１の第２変更例として、図１０、図１１及び図１２に示すように、インクボトル５１の形態を変更してもよい。
【００５０】
・インクボトル５１の第３変更例として、図１３、図１４及び図１５に示すように、インクボトル５１の形態を変更してもよい。この変更例においては、識別部６１は、キャップ５３の周面に設けられる。
・インクボトル５１の第４変更例として、図１６、図１７及び図１８に示すように、インクボトル５１の形態を変更してもよい。
【００５１】
・インクボトル５１の第５変更例として、図１９、図２０及び図２１に示すように、インクボトル５１の形態を変更してもよい。
・インクボトル５１の第６変更例として、図２２、図２３及び図２４に示すように、インクボトル５１の形態を変更してもよい。
【００５２】
・インクボトル５１の第７変更例として、図２５、図２６及び図２７に示すように、インクボトル５１の形態を変更してもよい。
・図２８に示すように、プリンター１１は、インクタンク２４を５つ以上備えてもよい。この変更例においては、第１インクタンク３１、第２インクタンク３２、第３インクタンク３３及び第４インクタンク３４に加えて、プリンター１１を正面から見たときにカセット２２よりも左方となる位置に複数のインクタンク２４を備える。具体的には、このプリンター１１は、プリンター１１を正面から見たときに、カセット２２よりも右方に４つのインクタンク２４を備え、カセット２２よりも左方に３つのインクタンク２４を備える。
【００５３】
プリンター１１を正面から見たときに、カセット２２よりも左方に位置する複数のインクタンク２４において、右から左に向かって順に、第５インクタンク３５、第６インクタンク３６、第７インクタンク３７が位置する。第１蓋１３を開くと、第５インクタンク３５、第６インクタンク３６及び第７インクタンク３７が有するそれぞれの補充口２５が露出する。
【００５４】
プリンター１１は、第５インクタンク３５を露出させる第５視認部４５と、第６インクタンク３６を露出させる第６視認部４６と、第７インクタンク３７を露出させる第７視認部４７とを備える。そのため、このプリンター１１に使用されるインクボトル５１は、７つの突起６２を備える。
【００５５】
・プリンター１１は、インクタンク２４を２つ又は３つ備える構成でもよい。インクタンク２４を２つ備えるプリンター１１の場合、このプリンター１１に使用されるインクボトル５１は、２つの突起６２を備える。インクタンク２４を３つ備えるプリンター１１の場合、このプリンター１１に使用されるインクボトル５１は、３つの突起６２を備える。
【００５６】
・図２９に示すように、インクボトル５１を収容するパッケージ８１が識別部６１を備えていてもよい。収容するパッケージ８１が識別部６１を備えていることで、一実施形態、第１変更例、第２変更例、第３変更例、第４変更例、第５変更例、第６変更例、及び第７変更例におけるインクボトル５１に、識別部６１を備えなくとも、インクボトル５１に収容されるインクの種類を識別することができる。なお、本実施形態に示すパッケージ８１は、図２８に示すプリンター１１に使用されるインクボトル５１を収容するものである。
【００５７】
パッケージ８１は、例えば箱である。本実施形態のパッケージ８１は、インクボトル５１を収容する本体部８２と、本体部８２を吊り下げるための吊り下げ部８３とを備える。本体部８２は、直方体状に構成される。吊り下げ部８３は、本体部８２から延びる。吊り下げ部８３に形成される穴８４に例えばフックが引っ掛けられることによって、本体部８２が吊り下げられる。
【００５８】
識別部６１は、例えば、本体部８２の側面に設けられる。識別部６１は、本体部８２の上面に設けられてもよいし、吊り下げ部８３に設けられてもよい。識別部６１は、第１突起７１、第２突起７２、第３突起７３及び第４突起７４に加えて、第５インクタンク３５と対応する第５突起７５、第６インクタンク３６に対応する第６突起７６、第７インクタンク３７に対応する第７突起７７を有する。プリンター１１において第１インクタンク３１と第５インクタンク３５とが離れて配置されていることに基づいて、識別部６１において第１突起７１と第５突起７５とが離れて配置されている。
【００５９】
ユーザーは、識別部６１を触れることによって、パッケージ８１に収容されるインクボトル５１が収容するインクの種類を識別できる。上記実施形態におけるプリンター１１に使用されるインクボトル５１を収容するパッケージ８１の場合、パッケージ８１が備える識別部６１は、第１突起７１、第２突起７２、第３突起７３及び第４突起７４を有する。
【００６０】
・識別部６１は、インクボトル５１において、容器本体５２に設けられてもよいし、キャップ５３に設けられてもよい。識別部６１は、パッケージ８１において、本体部８２に設けられてもよいし、吊り下げ部８３に設けられてもよい。識別部６１の位置は限定されない。上記実施形態のインクボトル５１に限らず、第１変更例から第７変更例におけるインクボトル５１において、識別部６１の位置は限定されない。
【００６１】
・第１変更例から第７変更例におけるインクボトル５１において、注入部５４の形態は、上記実施形態と同様の形態でもよいし、異なる形態でもよい。
・パッケージ８１は、箱に限らず、例えば袋でもよい。
【００６２】
また、インクボトル５１の第８変更例として、図３０及び図３１に示すようにインクボトル５１の形態を変更してもよい。この変更例においては、識別部６１は、キャップ５３の周面に設けられる。
図３０は、インクボトル５１の第８変更例に第１のラベル１１０を装着した状態を示す正面図である。第１のラベル１１０には、所定の文字列が記載される。ここでは、所定の文字列を「×」として示している。このとき、第１のラベル１１０の裏面、すなわち、第１のラベル１１０におけるインクボトル５１と対向する面は、無地であってもよいし、所定の文字列が記載されてもよい。
なお、図３０以降に示す第１のラベル１１０以外のラベルやパッケージ８１においても第１のラベル１１０と同様に、所定の文字列を「×」として示すものとする。また、図３０以降に示す第１のラベル１１０以外のラベルやパッケージ８１においても第１のラベル１１０と同様に、裏面は無地であってもよいし、所定の文字列が記載されてもよい。
【００６３】
また、第１のラベル１１０において、ドットによる網掛けを施した部分は、他の部分に対する明度の違いを表している。具体的には、ドットによる網掛けを施した部分の明度は、網掛けを施していない部分の明度より低い。なお、図３０以降に示す第１のラベル１１０以外のラベルやパッケージ８１においても同様に、ドットによる網掛けを施した部分は、網掛けを施していない部分より明度が低いことを表している。ただし、図３０及び図３０以降の図面に使用する網掛けは、明度の違いを表すための手段の一例に過ぎない。
【００６４】
また、第１のラベル１１０は、第１の上ラベル１１１と、第１の下ラベル１１２と、を含む。第１の下ラベル１１２は、インクの色を示すインク色対応部２００を有している。インク色対応部２００には、インクボトル５１に収容されるインクの色を示す文字が記載されているが、このような文字を記載しなくてもよい。例えば、無地の領域が、インクボトル５１に収容されるインクに対応する色で着色されるのみでもよい。
なお、第１の上ラベル１１１と第１の下ラベル１１２との位置関係は、図３０の状態に限定されるものではない。例えば、キャップ５３が容器本体５２に対して回転させられることにより、第１の上ラベル１１１と第１の下ラベル１１２との位置関係は変化する。
【００６５】
図３１は、インクボトル５１の第８変更例に第２のラベル１２０を装着した状態を示す正面図である。第２のラベル１２０は、第２の上ラベル１２１と、第２の下ラベル１２２と、を含む。第２の下ラベル１２２は、第１の下ラベル１１２と同様に、インク色対応部２００を有している。
なお、第２の上ラベル１２１と第２の下ラベル１２２との位置関係は、図３１の状態に限定されるものではない。例えば、キャップ５３が容器本体５２に対して回転させられることにより、第２の上ラベル１２１と第２の下ラベル１２２との位置関係は変化する。
【００６６】
第１のラベル１１０は、フォトブラックのインクに対応するものである。ただし、第１のラベル１１０は、ブラック、シアン、マゼンタ、イエローなど、他の色のインクに対応するものとしてもよい。その場合、インク色対応部２００における「フォトブラック」、「ＰＢ」といった部分が、他の色に対応するものに変更される。
また、第２のラベル１２０は、マットブラックのインクに対応するものである。第２のラベル１２０には、インク色対応部２００を含む所定の領域に斜線が加えられている。第２のラベル１２０も、第１のラベル１１０と同様に他の色のインクに対応するものとしてもよい。
【００６７】
また、インクボトル５１の第９変更例として、図３２及び図３３に示すようにインクボトル５１の形態を変更してもよい。この変更例においては、識別部６１は、キャップ５３の周面に設けられる。
図３２は、インクボトル５１の第９変更例に第３のラベル１３０を装着した状態を示す正面図である。第３のラベル１３０は、第３の上ラベル１３１と、第３の下ラベル１３２と、を含む。第３の下ラベル１３２は、第１の下ラベル１１２と同様に、インク色対応部２００を有している。
なお、第３の上ラベル１３１と第３の下ラベル１３２との位置関係は、図３２の状態に限定されるものではない。例えば、キャップ５３が容器本体５２に対して回転させられることにより、第３の上ラベル１３１と第３の下ラベル１３２との位置関係は変化する。
【００６８】
また、図３３は、インクボトル５１の第９変更例に第４のラベル１４０を装着した状態を示す正面図である。第４のラベル１４０は、第４の上ラベル１４１と、第４の下ラベル１４２と、を含む。第４の下ラベル１４２は、第１の下ラベル１１２と同様に、インク色対応部２００を有している。
なお、第４の上ラベル１４１と第４の下ラベル１４２との位置関係は、図３３の状態に限定されるものではない。例えば、キャップ５３が容器本体５２に対して回転させられることにより、第４の上ラベル１４１と第４の下ラベル１４２との位置関係は変化する。
【００６９】
第３のラベル１３０は、フォトブラックのインクに対応するものであるが、第１のラベル１１０と同様に、他の色のインクに対応するものとしてもよい。
また、第４のラベル１４０は、マットブラックのインクに対応するものであるが、第２のラベル１２０と同様に、他の色のインクに対応するものとしてもよい。
【００７０】
図３４は、第１の下ラベル１１２の展開図であり、図３５は、第２の下ラベル１２２の展開図である。このようなラベルが、第８変更例におけるインクボトル５１の容器本体５２に装着される。
【００７１】
図３６は、第３の下ラベル１３２の展開図であり、図３７は、第４の下ラベル１４２の展開図である。このようなラベルが、第９変更例におけるインクボトル５１の容器本体５２に装着される。第３の下ラベル１３２及び第４の下ラベル１４２は、バーコードエリア２０２を有している。バーコードエリア２０２は、所定のバーコードが印刷されるエリアである。
【００７２】
図３８から図４３は、第８変更例におけるインクボトル５１の６面図であり、インクボトル５１にラベルを装着していない状態を示している。図３８が正面図、図３９が背面図、図４０が左側面図、図４１が右側面図、図４２が平面図、図４３が底面図である。
【００７３】
図４４及び図４５は、第８変更例におけるインクボトル５１の斜視図であり、インクボトル５１にラベルを装着していない状態を示している。図４４はキャップ５３が取り付けられた状態のインクボトル５１を示し、図４５はキャップ５３が取り外された状態のインクボトル５１を示す。なお、図４４及び図４５の斜視図において、図示されていないインクボトル５１の裏側は、図示されているインクボトル５１の表側と対称の形状をしている。
【００７４】
図４６から図４８は、第８変更例におけるインクボトル５１を種々の方向から見た図であり、インクボトル５１に第２のラベル１２０を装着した状態を示している。図４６が背面図、図４７が左側面図、図４８が右側面図であり、それぞれの図は、図３１と対応する。なお、平面図及び底面図については、インクボトル５１にラベルを装着していない状態と同様である。なお、図４６から図４８において、インクボトル５１に装着するラベルを第１のラベル１１０としてもよい。
【００７５】
図４９は、第１の下ラベル１１２の第１変更例を示す展開図である。第１変更例においては、インク色対応部２００の位置が、図３４の例よりも上方にオフセットされている。
図５０は、第１の下ラベル１１２の第２変更例を示す展開図である。第２変更例においては、インク色対応部２００の位置が、図３４の例よりも上方であって、第１変更例よりも下方にオフセットされている。
図５１は、第１の下ラベル１１２の第３変更例を示す展開図である。第３変更例においては、インク色対応部２００の中央部が白抜きとなっている。ただし、インク色対応部２００の中央部は、白色以外の色となっていてもよい。
【００７６】
図５２は、第１の下ラベル１１２の第４変更例を示す展開図である。第４変更例においては、インク色対応部２００の位置が、図３４の例よりも上方にオフセットされている。さらに、インク色対応部２００の形状が図３４の例と異なり、左端の部分が直線状となっている。
図５３は、第１の下ラベル１１２の第５変更例を示す展開図である。第５変更例においては、インク色対応部２００の位置が、図３４の例よりも上方であって、第４変更例よりも下方にオフセットされている。さらに、インク色対応部２００の形状が図３４の例と異なり、左端の部分が直線状となっている。
図５４は、第１の下ラベル１１２の第６変更例を示す展開図である。第６変更例においては、インク色対応部２００の中央部が白抜きとなっている。さらに、インク色対応部２００の形状が図３４の例と異なり、左端の部分が直線状となっている。なお、インク色対応部２００の中央部は、白色以外の色となっていてもよい。
【００７７】
図５５は、第１の下ラベル１１２の第７変更例を示す展開図である。第７変更例においては、インク色対応部２００の位置が、図３４の例よりも上方にオフセットされている。さらに、インク色対応部２００の輪郭が図３４の例と異なり、歪みのない曲線となっている。
図５６は、第１の下ラベル１１２の第８変更例を示す展開図である。第８変更例においては、インク色対応部２００の位置が、図３４の例よりも上方であって、第７変更例よりも下方にオフセットされている。さらに、インク色対応部２００の輪郭が図３４の例と異なり、歪みのない曲線となっている。
図５７は、第１の下ラベル１１２の第９変更例を示す展開図である。第９変更例においては、インク色対応部２００の中央部が白抜きとなっている。さらに、インク色対応部２００の輪郭が図３４の例と異なり、歪みのない曲線となっている。なお、インク色対応部２００の中央部は、白色以外の色となっていてもよい。
【００７８】
図５８は、第１の下ラベル１１２の第１０変更例を示す展開図である。第１０変更例においては、インク色対応部２００の位置が、図３４の例よりも上方にオフセットされている。さらに、インク色対応部２００の形状が図３４の例と異なり、左端の部分が直線状となっている。また、インク色対応部２００の左端以外の輪郭が図３４の例と異なり、歪みのない曲線となっている。
図５９は、第１の下ラベル１１２の第１１変更例を示す展開図である。第１１変更例においては、インク色対応部２００の位置が、図３４の例よりも上方であって、第１０変更例よりも下方にオフセットされている。さらに、インク色対応部２００の形状が図３４の例と異なり、左端の部分が直線状となっている。また、インク色対応部２００の左端以外の輪郭が図３４の例と異なり、歪みのない曲線となっている。
図６０は、第１の下ラベル１１２の第１２変更例を示す展開図である。第１２変更例においては、インク色対応部２００の中央部が白抜きとなっている。さらに、インク色対応部２００の形状が図３４の例と異なり、左端の部分が直線状となっている。また、インク色対応部２００の左端以外の輪郭が図３４の例と異なり、歪みのない曲線となっている。なお、インク色対応部２００の中央部は、白色以外の色となっていてもよい。
【００７９】
図４９から図６０においては、第１の下ラベル１１２を例にとって、インク色対応部２００に関する種々の変更例を示した。しかし、第２の下ラベル１２２についても、第１の下ラベル１１２と同様に変更を行うことが可能である。すなわち、第２の下ラベル１２２においても、図４９から図６０に示したようなインク色対応部２００に関する種々の変更を行ってもよい。
【００８０】
図６１は、第５のラベル１５０を示す展開図である。第５のラベル１５０は、第３の下ラベル１３２及び第４の下ラベル１４２と同様に、インク色対応部２００と、バーコードエリア２０２と、を有している。第５のラベル１５０は、種々のインクボトル５１に装着することができる。例えば、第５のラベル１５０は、図３２及び図３３に示すような第９変更例におけるインクボトル５１に装着することができる。
【００８１】
図６２は、インクボトル５１を収容するパッケージ８１の変更例を示す正面図であり、図６３は、変更例におけるパッケージ８１の平面図である。この変更例に示すパッケージ８１は、図３２及び図３３に示すような、第９変更例におけるインクボトル５１を収容することができる。ただし、変更例におけるパッケージ８１は、他のインクボトル５１を収容してもよい。
変更例におけるパッケージ８１は、図２９の例と同様に、インクボトル５１を収容する本体部８２と、本体部８２を吊り下げるための吊り下げ部８３と、吊り下げ部８３に形成される穴８４と、識別部６１と、を備える。さらに、変更例におけるパッケージ８１は、第５のラベル１５０などと同様に、インク色対応部２００を有している。
【００８２】
なお、上記の実施形態及び変更例で示した識別部６１の位置、大きさ、及び範囲は、上記のものに限定されない。例えば、識別部６１の大きさをＮ倍に拡大したり、Ｎ分の１に縮小したりしてもよい。このとき、Ｎは２以上の整数である。
【００８３】
以下に、上述した実施形態及び変更例から把握される技術的思想及びその作用効果を記載する。
（Ａ）インクボトルは、インクを吐出するヘッドと、前記ヘッドに供給されるインクを収容する複数のインクタンクと、前記ヘッド及び複数の前記インクタンクを収容する筐体と、複数の前記インクタンクを前記筐体外から視認させるための視認部と、を備えるプリンターに使用されるインクボトルであって、収容するインクの種類を識別させるための識別部を備え、前記識別部は、前記インクタンクの数に対応する複数の突起を有し、複数の前記突起は、前記視認部を通じて視認される前記インクタンクの配置を模すように配置され、突出量が最も大きい大突起と、前記大突起の突出量よりも突出量が小さい小突起と、により構成され、前記大突起は、前記識別部において、収容するインクと同種のインクを収容する前記インクタンクの位置と対応する位置に設けられ、前記小突起は、前記識別部において、収容するインクと異種のインクを収容する前記インクタンクの位置と対応する位置に設けられる。
【００８４】
この構成によれば、ユーザーは、識別部に触れることによって、大突起及び小突起の並びを把握できる。識別部における大突起の位置を把握することによって、インクボトルが収容するインクと同種のインクを収容するインクタンクを把握できる。すなわち、このインクボトルが何れのインクタンクと対応しているかを把握できる。これにより、所望のインクボトルを選択できる。
【００８５】
（Ｂ）上記インクボトルにおいて、前記大突起には、収容するインクの色を想起させる香料が含まれていてもよい。
この構成によれば、ユーザーは、大突起に含まれる香料の香りを嗅ぐことによって、インクボトルに収容されるインクの色を想起できる。これにより、インクの色を識別できる。そのため、触覚及び嗅覚によって、所望のインクボトルを選択できる。
【００８６】
（Ｃ）上記インクボトルにおいて、前記大突起には、前記香料を含む香料インクが含まれていてもよい。
この構成によれば、ユーザーが大突起を指で擦った場合に、インクボトルが収容するインクの色を想起させる香りが大突起から出る。そのため、大突起から常に香りが出る場合と比べて、香料による香りが他の香りと紛れるおそれを低減できる。
【００８７】
（Ｄ）上記インクボトルにおいて、前記大突起の表面に、シボ加工が施されていてもよい。
この構成によれば、大突起の位置をより把握しやすくできる。
【００８８】
（Ｅ）パッケージは、インクを吐出するヘッドと、前記ヘッドに供給されるインクを収容する複数のインクタンクと、前記ヘッド及び複数の前記インクタンクを収容する筐体と、複数の前記インクタンクを前記筐体外から視認させるための視認部と、を備えるプリンターに使用されるインクボトルを収容するパッケージであって、前記インクボトルが収容するインクの種類を識別させるための識別部を備え、前記識別部は、前記インクタンクの数に対応する複数の突起を有し、複数の前記突起は、前記視認部を通じて視認される前記インクタンクの配置を模すように配置され、突出量が最も大きい大突起と、前記大突起の突出量よりも突出量が小さい小突起と、により構成され、前記大突起は、前記識別部において、前記インクボトルが収容するインクと同種のインクを収容する前記インクタンクの位置と対応する位置に設けられ、前記小突起は、前記識別部において、前記インクボトルが収容するインクと異種のインクを収容する前記インクタンクの位置と対応する位置に設けられる。
【００８９】
この構成によれば、上記インクボトルと同様の効果を得られる。
【符号の説明】
【００９０】
１１…プリンター、１２…筐体、１３…第１蓋、１４…第２蓋、１５…操作部、１６…表示画面、１７…操作ボタン、１８…ヘッド、１９…排出口、２１…キャリッジ、２２…カセット、２４…インクタンク、２５…補充口、２６…視認部、２７…目盛、３１…第１インクタンク、３２…第２インクタンク、３３…第３インクタンク、３４…第４インクタンク、３５…第５インクタンク、３６…第６インクタンク、３７…第７インクタンク、４１…第１視認部、４２…第２視認部、４３…第３視認部、４４…第４視認部、４５…第５視認部、４６…第６視認部、４７…第７視認部、５１…インクボトル、５２…容器本体、５３…キャップ、５４…注入部、５５…注入口、５６…雄ねじ、５７…雌ねじ、６１…識別部、６２…突起、６３…大突起、６４…小突起、７１…第１突起、７２…第２突起、７３…第３突起、７４…第４突起、７５…第５突起、７６…第６突起、７７…第７突起、８１…パッケージ、８２…本体部、８３…吊り下げ部、８４…穴、９９…用紙、１１０…第１のラベル、１２０…第２のラベル、１３０…第３のラベル、１４０…第４のラベル、１５０…第５のラベル、２００…インク色対応部、２０２…バーコードエリア。
【図１】
2020163824.tif 000003
【図２】
2020163824.tif 000004
【図３】
2020163824.tif 000005
【図４】
2020163824.tif 000006
【図５】
2020163824.tif 000007
【図６】
2020163824.tif 000008
【図７】
2020163824.tif 000009
【図８】
2020163824.tif 000010
【図９】
2020163824.tif 000011
【図１０】
2020163824.tif 000012
【図１１】
2020163824.tif 000013
【図１２】
2020163824.tif 000014
【図１３】
2020163824.tif 000015
【図１４】
2020163824.tif 000016
【図１５】
2020163824.tif 000017
【図１６】
2020163824.tif 000018
【図１７】
2020163824.tif 000019
【図１８】
2020163824.tif 000020
【図１９】
2020163824.tif 000021
【図２０】
2020163824.tif 000022
【図２１】
2020163824.tif 000023
【図２２】
2020163824.tif 000024
【図２３】
2020163824.tif 000025
【図２４】
2020163824.tif 000026
【図２５】
2020163824.tif 000027
【図２６】
2020163824.tif 000028
【図２７】
2020163824.tif 000029
【図２８】
2020163824.tif 000030
【図２９】
2020163824.tif 000031
【図３０】
2020163824.tif 000032
【図３１】
2020163824.tif 000033
【図３２】
2020163824.tif 000034
【図３３】
2020163824.tif 000035
【図３４】
2020163824.tif 000036
【図３５】
2020163824.tif 000037
【図３６】
2020163824.tif 000038
【図３７】
2020163824.tif 000039
【図３８】
2020163824.tif 000040
【図３９】
2020163824.tif 000041
【図４０】
2020163824.tif 000042
【図４１】
2020163824.tif 000043
【図４２】
2020163824.tif 000044
【図４３】
2020163824.tif 000045
【図４４】
2020163824.tif 000046
【図４５】
2020163824.tif 000047
【図４６】
2020163824.tif 000048
【図４７】
2020163824.tif 000049
【図４８】
2020163824.tif 000050
【図４９】
2020163824.tif 000051
【図５０】
2020163824.tif 000052
【図５１】
2020163824.tif 000053
【図５２】
2020163824.tif 000054
【図５３】
2020163824.tif 000055
【図５４】
2020163824.tif 000056
【図５５】
2020163824.tif 000057
【図５６】
2020163824.tif 000058
【図５７】
2020163824.tif 000059
【図５８】
2020163824.tif 000060
【図５９】
2020163824.tif 000061
【図６０】
2020163824.tif 000062
【図６１】
2020163824.tif 000063
【図６２】
2020163824.tif 000064
【図６３】
2020163824.tif 000065